(57)【特許請求の範囲】
【請求項１】
伝送信号に対して波形等化を行う等化器と、
上記等化器で波形等化された信号より、伝送されたデータを識別して第１の識別データを出力する第１の識別器と、
上記伝送信号より、伝送されたデータを識別して第２の識別データを出力する第２の識別器と、
上記第１の識別器より出力される第１の識別データまたは上記第２の識別器より出力される第２の識別データを出力識別データとして取り出す識別出力セレクタと、
上記第１の識別器の後段に配置され、所定単位毎にデータの誤りを検出して訂正する第１の誤り訂正器と、
上記第２の識別器の後段に配置され、上記所定単位毎にデータの誤りを検出して訂正する第２の誤り訂正器と、
上記第１の誤り訂正器より出力される第１の出力データまたは上記第２の誤り訂正器より出力される第２の出力データを上記所定単位毎に取り出す訂正出力セレクタとを備え、
上記識別出力セレクタは、上記等化器の動作が発散状態にあるときは、上記第１の識別データに代わって上記第２の識別データを上記出力識別データとして取り出し、
上記等化器は、上記波形等化された信号の波形が上記識別出力セレクタより取り出される上記出力識別データの波形に近づくように波形等化特性を更新し、
上記訂正出力セレクタは、上記第１の誤り訂正器および上記第２の誤り訂正器で得られる上記所定単位毎の出力データの誤り情報に基づき、上記第１の出力データおよび上記第２の出力データの双方が誤っていないときはいずれか一方を取り出し、上記第１の出力データまたは上記第２の出力データのいずれか一方が誤っているときは誤っていない方を取り出す
伝送信号処理装置。
【請求項２】
上記第１の識別器は、第１の方式のパーシャルレスポンスを組み合わせたビタビ復号器であり、上記第２の識別器は、第２の方式のパーシャルレスポンスを組み合わせたビタビ復号器である
請求項１に記載の伝送信号処理装置。
【請求項３】
記録媒体より再生された再生信号を処理してデータの識別を行う信号処理部を有するデジタル再生装置であって、
上記信号処理部は、
上記再生信号に対して波形等化を行う等化器と、上記等化器で波形等化された信号より、再生されたデータを識別して第１の識別データを出力する第１の識別器と、
上記再生信号より、再生されたデータを識別して第２の識別データを出力する第２の識別器と、
上記第１の識別器より出力される第１の識別データまたは上記第２の識別器より出力される第２の識別データを出力識別データとして取り出す識別出力セレクタと、
上記第１の識別器の後段に配置され、所定単位毎にデータの誤りを検出して訂正する第１の誤り訂正器と、
上記第２の識別器の後段に配置され、上記所定単位毎にデータの誤りを検出して訂正する第２の誤り訂正器と、
上記第１の誤り訂正器より出力される第１の出力データまたは上記第２の誤り訂正器より出力される第２の出力データを上記所定単位毎に取り出す訂正出力セレクタとを備え、
上記識別出力セレクタは、上記等化器の動作が発散状態にあるときは、上記第１の識別データに代わって上記第２の識別データを上記出力データとして取り出し、
上記等化器は、上記波形等化された信号の波形が上記識別出力セレクタより取り出される出力識別データの波形に近づくように波形等化特性を更新し、
上記訂正出力セレクタは、上記第１の誤り訂正器および上記第２の誤り訂正器で得られる上記所定単位毎の出力データの誤り情報に基づき、上記第１の出力データおよび上記第２の出力データの双方が誤っていないときはいずれか一方を取り出し、上記第１の出力データまたは上記第２の出力データのいずれか一方が誤っているときは誤っていない方を取り出す
デジタル再生装置。
【発明の詳細な説明】
【０００１】
【発明の属する技術分野】
この発明は、例えばデジタルＶＴＲ（ビデオテープレコーダ）の再生系等に使用して好適な伝送信号処理装置およびそれを使用したデジタル再生装置に関する。詳しくは、この発明は、等化器を通した伝送信号から第１の識別データを得る第１の識別器と、この等化器を通さない伝送信号から第２の識別データを得る第２の識別器と、第１の識別データまたは第２の識別データを出力識別データとして取り出すセレクタとを備え、セレクタでは等化器の動作が発散状態にあるとき第１の識別データに代わって第２の識別データを出力識別データとして取り出し、等化器を通した伝送信号の波形がセレクタより取り出される出力識別データの波形に近づくように等化器の波形等化特性を更新する構成とすることによって、適応型等化器の動作の発散状態を抑圧し、等化器で最適な波形等化が行われるようにした伝送信号処理装置等に係るものである。
【０００２】
【従来の技術】
図９は、一般的なデジタルＶＴＲ(Video Tape Recorder)２００の基本的構成を示している。
まず、記録系を説明する。入力端子２０１に供給される入力ビデオ信号ＶｉはＡ／Ｄコンバータ２０２でデジタル信号に変換されて画像圧縮部２０３に供給される。画像圧縮部２０３では、例えばブロック符号化を用いたデータ圧縮処理が行われる。画像圧縮部２０３より出力される圧縮符号化データは、パリティ・シンク・ＩＤ付加部２０４に供給される。付加部２０４では、圧縮符号化データのシンクブロック毎に、エラー訂正用のパリティ、シンクブロックの開始を示すシンク、シンクブロックの識別のためのＩＤコードの付加が行われる。
【０００３】
付加部２０４より出力される各シンクブロックの圧縮符号化データは、チャネルエンコーダ２０５で所定の方式でデジタル変調される。チャネルエンコーダ２０５より出力されるデジタル変調信号は、記録アンプ２０６で増幅された後に記録ヘッド２０７に供給され、磁気テープ２０８の記録トラックに順次記録される。
【０００４】
次に、再生系を説明する。磁気テープ２０８の記録トラックより再生ヘッド２０９で再生された再生信号は再生アンプ２１０で増幅された後にチャネルデコーダ２１１で復調される。チャネルデコーダ２１１より出力される各シンクブロックの圧縮符号化データはシンク検出・エラー訂正部２１２に供給される。シンク検出・エラー訂正部２１２では、シンクブロック毎に付加されているパリティを使用してエラー訂正が行われる。
【０００５】
シンク検出・エラー訂正部２１２より出力される各シンクブロックの圧縮符号化データは画像伸長部２１３に供給される。画像伸長部２１３では、上述の記録系の画像圧縮部２０３とは逆のデータ伸長処理が行われる。画像伸長部２１３より出力されるデジタルデータはＤ／Ａコンバータ２１４でアナログ信号に変換され、出力端子２１５に出力ビデオ信号Ｖｏが出力される。
【０００６】
図１０は、図９に示すデジタルＶＴＲ２００の再生系のチャネルデコーダ２１１からシンク検出・エラー訂正部２１２に対応した構成を示している。
すなわち、再生ヘッド２０９（図９参照）からの再生信号Ｓｐは、再生アンプ２１０で増幅された後にアナログ等化器２２１に供給されて、ある程度の波形等化が行われる。アナログ等化器２２１で波形等化された再生信号はＡ／Ｄコンバータ２２２に供給されると共に、ＰＬＬ(Phase-Locked Loop)回路２２３に供給される。ＰＬＬ回路２２３では、再生信号からクロックＣＬＫが抽出される。Ａ／Ｄコンバータ２２２では、ＰＬＬ回路２２３で抽出されたクロックＣＬＫを使用して再生信号がデジタル信号に変換される。
【０００７】
Ａ／Ｄコンバータ２２２より出力されるデジタルデータは適応型等化器２２４を介して識別器としてのビタビ復号器２２５に供給される。ビタビ復号器２２５で識別されて得られた識別データは適応型等化器２２４に供給される。適応型等化器２２４では、例えばＬＭＳ(Least Mean Square)アルゴリズムにより、当該適応型波形等化器２２４からの出力データの波形がビタビ復号器２２５からの識別データの波形（目標波形）に近づくように波形等化特性、例えばトランスバーサルフィルタのタップ係数が適応的に変更され、これにより最適な波形等化が行われるようにしている。
【０００８】
ビタビ復号器２２５からの識別データは再生データとして復調器２２６に供給されて復調される。この復調器２２６より出力される各シンクブロックの圧縮符号化データは誤り訂正器２２７に供給され、シンクブロック毎に付加されているパリティを使用してエラー訂正が行われる。誤り訂正器２２７でエラー訂正された圧縮符号化データＤｐは画像伸長部２１３（図９参照）に供給される。
【０００９】
【発明が解決しようとする課題】
適応型等化器２２４では、上述したように、ＬＭＳアルゴリズムにより、当該適応型波形等化器２２４からの出力データの波形がビタビ復号器２２５からの識別データの波形（目標波形）に近づくように、波形等化特性、例えばトランスバーサルフィルタのタップ係数が適応的に変更される。
【００１０】
この場合、適応型等化器２２４においてＬＭＳアルゴリズムが収束した後はビタビ復号器２２５で識別された識別データの誤り率は低く、適応型等化器２２４で最適な波形等化を行うことができるが、ＬＭＳアルゴリズムが収束に至るまでの間にビタビ復号器２２５で識別された識別データの誤り率が高い場合には、適応型等化器２２４においてＬＭＳアルゴリズムが上手く収束できずに、波形等化特性を誤った方向に更新し、これによりビタビ復号器２２５で識別された識別データはさらに誤りが増大して適応型等化器２２４が発散した状態となるため、適応型等化器２２４で最適な波形等化を行うことが困難となる。
そこで、この発明の目的は、適応型等化器の発散状態を抑圧し、等化器で最適な波形等化が行われるようにした伝送信号処理装置等を提供することにある。
【００１１】
【課題を解決するための手段】
この発明に係る伝送信号処理装置は、伝送信号に対して波形等化を行う等化器と、この等化器で波形等化された信号より伝送されたデータを識別して第１の識別データを出力する第１の識別器と、伝送信号より伝送されたデータを識別して第２の識別データを出力する第２の識別器と、第１の識別器より出力される第１の識別データまたは第２の識別器より出力される第２の識別データを出力識別データとして取り出す識別出力セレクタとを備え、識別出力セレクタは、等化器の動作が発散状態にあるときは、第１の識別データに代わって第２の識別データを出力識別データとして取り出し、等化器は、波形等化された信号の波形が識別出力セレクタより取り出される出力識別データの波形に近づくように波形等化特性を更新するものである。
【００１２】
この発明に係るデジタル再生装置は、記録媒体より再生された再生信号を処理してデータの識別を行う信号処理部を有するデジタル再生装置であって、信号処理部は、再生信号に対して波形等化を行う等化器と、等化器で波形等化された信号より、再生されたデータを識別して第１の識別データを出力する第１の識別器と、伝送信号より再生されたデータを識別して第２の識別データを出力する第２の識別器と、第１の識別器より出力される第１の識別データまたは第２の識別器より出力される第２の識別データを出力識別データとして取り出す識別出力セレクタとを備え、識別出力セレクタは、等化器の動作が発散状態にあるときは、第１の識別データに代わって第２の識別データを出力データとして取り出し、等化器は、波形等化された信号の波形が識別出力セレクタより取り出される出力識別データの波形に近づくように波形等化特性を更新するものである。
【００１３】
この発明においては、伝送信号に対して等化器で波形等化が行われる。この等化器で波形等化された信号より伝送されたデータが識別されて、第１の識別データが得られる。また、伝送信号より伝送されたデータが識別されて第２の識別データが得られる。識別出力セレクタでは、これら第１の識別データまたは第２の識別データが出力識別データとして取り出され、等化器では、波形等化された信号の波形が識別出力セレクタより取り出される出力識別データの波形に近づくように波形等化特性が更新される。
【００１４】
ここで、等化器の動作が発散状態にある場合は、第１の識別データに代わって第２の識別データが出力識別データとして取り出される。
例えば、第１、第２の識別器がそれぞれビタビ復号器で構成される場合、第１の識別器のメトリックの値をＭ１とし、第２の識別器のメトリックの値をＭ２とし、ばらつきを考慮した任意の値をＡとするとき、Ｍ１＜Ｍ２＋Ａを満たさなくなるとき、第１の識別データに代わって第２の識別データが出力識別データとして取り出される。すなわち、等化器の動作が発散状態となる場合は、第１の識別器のメトリックの値Ｍ１が大きくなり、Ｍ１＜Ｍ２＋Ａを満たさなくなる。これにより、等化器の動作が発散状態となる場合は、第１の識別データに代わって第２の識別データが出力識別データとして取り出されることとなる。
【００１５】
また例えば、第１の識別器の後段に配置される第１の誤り訂正器と、第２の識別器の後段に配置される第２の誤り訂正器とをさらに備える場合、第１の誤り訂正器における所定期間の誤り訂正数をＥ１とし、第２の誤り訂正器における所定期間の誤り訂正数をＥ２として、ばらつきを考慮した任意の数をＡとするとき、Ｅ１＜Ｅ２＋Ａを満たさなくなるとき、第１の識別データに代わって第２の識別データが出力識別データとして取り出される。すなわち、等化器の動作が発散状態となる場合は、第１の誤り訂正器の誤り訂正数Ｅ１が大きくなり、Ｅ１＜Ｅ２＋Ａを満たさなくなる。これにより、等化器の動作が発散状態となる場合は、第１の識別データに代わって第２の識別データが出力識別データとして取り出されることとなる。
【００１６】
第２の識別器で得られる第２の識別データは等化器で波形等化された信号より伝送されたデータを識別して得られたものではなく、等化器の動作が発散状態にある場合には、第１の識別データに比べて誤り率の低いものとなっている。そのため、等化器の波形等化特性は正しい方向に向かって更新されていく。これにより、等化器の動作の発散状態を抑圧でき、適応型等化器で最適な波形等化が行われるようにできる。
【００１７】
また、上述した識別出力セレクタの後段に、所定単位毎にデータの誤りを検出して訂正する誤り訂正器が備えられる。この場合、等化器の動作が発散状態にある場合には、第２の識別器で得られる第２の識別データに対応する信号が誤り訂正器に供給されて誤り訂正される。第２の識別データは等化器で波形等化された信号より伝送されたデータを識別したものではなく、等化器の動作が発散状態にある場合にも第１の識別データに比べて誤り率の低いものとなることから、等化器の動作が発散状態にある場合であっても誤り訂正器における誤り訂正数が極端に多くなることはなく、最終的な所定単位のデータの誤り数（誤り率）を低減可能となる。
【００１８】
また例えば、第１の識別器の後段に配置され、所定単位毎にデータの誤りを検出して訂正する第１の誤り訂正器と、第２の識別器の後段に配置され、所定単位毎にデータの誤りを検出して訂正する第２の誤り訂正器と、第１の誤り訂正器より出力される第１の出力データまたは第２の誤り訂正器より出力される第２の出力データを所定単位毎に取り出す訂正出力セレクタとを備え、訂正出力セレクタは、第１の誤り訂正器および第２の誤り訂正器で得られる所定単位毎の出力データの誤り情報に基づき、第１の出力データおよび第２の出力データの双方が誤っていないときはいずれか一方を取り出し、第１の出力データまたは第２の出力データが誤っているときは誤っていない方を取り出すようにしてもよい。これにより、最終的な所定単位のデータの誤り数（誤り率）を低減することが可能となる。
【００１９】
なおこの場合、第１、第２の識別器を異なるパーシャルレスポンス方式を組み合わせたビタビ復号器とすることで、第１，第２の識別データにおける誤り位置のずれを期待でき、これにより最終的な所定単位のデータの誤り数（誤り率）をさらに低減可能となる。またこの場合、第１の識別器の出力データに対応する第１のデータおよび第２の識別器の出力データに対応する第２のデータの誤りを、１個の誤り訂正器で、時分割的に検出して訂正する構成とすることで、回路規模を小さくできる。
【００２０】
【発明の実施の形態】
以下、図面を参照しながら、この発明の実施の形態について説明する。
まず、第１の実施の形態について説明する。図１は、第１の実施の形態としてのデジタルＶＴＲの再生系１００の要部構成を示している。
このデジタルＶＴＲの再生系１００は、再生信号Ｓｐを増幅するための再生アンプ１０１と、この再生アンプ１０１で増幅された再生信号に対して波形等化を行うアナログ等化器１０２と、このアナログ等化器１０２で波形等化された再生信号をデジタル信号に変換するＡ／Ｄコンバータ１０３と、この波形等化された再生信号よりクロックＣＬＫを抽出するＰＬＬ回路１０４とを有している。Ａ／Ｄコンバータ１０３では、ＰＬＬ回路１０４で抽出されたクロックＣＬＫがサンプリングクロックとして使用される。
【００２１】
また、再生系１００は、Ａ／Ｄコンバータ１０３より出力されるデジタルデータｕ(n)に対して適応的に波形等化を行う適応型等化器１０５と、この適応型等化器１０５で波形等化されて得られたデジタルデータｙ(n)より伝送データとしての再生データを識別する識別器としてのビタビ復号器１０６と、Ａ／Ｄコンバータ１０３より出力されるデジタルデータｕ(n)より再生データを識別する識別器としてのビタビ復号器１０７と、ビタビ復号器１０６で得られる識別データｄ1(n)またはビタビ復号器１０７で得られる識別データｄ2(n)を出力識別データｄ(n)として取り出すセレクタ（識別出力セレクタ）１０８とを有している。
【００２２】
ここで、セレクタ１０８は、ビタビ復号器１０６のメトリックの値Ｍ１とビタビ復号器１０７のメトリックの値Ｍ２とを用いて、適応型等化器１０５の動作が発散状態にないときは、識別データｄ1(n)を出力識別データｄ(n)として取り出し、一方適応型等化器１０５の動作が発散状態にあるときは、識別データｄ2(n)を出力識別データｄ(n)として取り出す。
【００２３】
すなわち、セレクタ１０８は、ばらつきを考慮した任意の値をＡとするとき、Ｍ１＜Ｍ２＋Ａを満たさなくなるときは、識別データｄ1(n)に代わって識別データｄ2(n)を出力識別データｄ(n)として取り出す。適応型等化器１０５の動作が発散状態となる場合は、ビタビ復号器１０６のメトリックの値Ｍ１が大きくなり、Ｍ１＜Ｍ２＋Ａを満たさなくなる。よって、セレクタ１０８では、適応型等化器１０５の動作が発散状態となる場合は、識別データｄ1(n)に代わって識別データｄ2(n)が出力識別データｄ(n)として取り出されることとなる。
【００２４】
また、セレクタ１０８で取り出された出力識別データｄ(n)は適応型等化器１０５に供給される。適応型等化器１０５は、本実施の形態においてはＬＭＳアルゴリズムにより、当該適応型等化器１０５からのデジタルデータｙ(n)の波形がセレクタ１０８からの出力識別データｄ(n)の波形（目標波形）に近づくように波形等化特性、つまりトランスバーサルフィルタのタップ係数が適応的に変更され、これにより最適な波形等化を行う。
【００２５】
また、再生系１００は、セレクタ１０８からの出力識別データｄ(n)に対して復調処理を行う復調器１０９と、この復調器１０９より出力される各シンクブロックの圧縮符号化データに対して、シンクブロック毎に付加されているパリティを使用して誤り訂正を行って、圧縮符号化データＤｐを得る誤り訂正器１１０を有している。
【００２６】
適応型等化器１０５についてさらに詳細に説明する。図２は、適応型等化器１０５の構成を示している。
この適応型等化器１０５は、トランスバーサルフィルタ１１１、判定器１１２、制御回路１１３を含んで構成される。トランスバーサルフィルタ１１１は、Ａ／Ｄコンバータ１０３（図１参照）より出力される波形等化すべきデジタルデータｕ(n)と、制御回路１１３から出力されるタップ係数ベクトルＨ(n)を入力し、デジタルデータｕ(n)に対して伝送路の周波数対振幅・位相特性の補償を行い、波形等化されたデジタルデータｙ(n)を生成し、判定器１１２および識別器としてのビタビ復号器１０６（図１参照）に出力する。また、トランスバーサルフィルタ１１１はデジタルデータベクトルＵ(n)を制御回路１１３に出力する。トランスバーサルフィルタ１１１の具体的な回路構成については後に述べる。
【００２７】
上述せずも、ビタビ復号器１０６は、入力されたデジタルデータｙ(n)に対して、所定の符号点配置上、ｙ(n)に最も近いデータｄ1(n)を、再生されたデータとして識別し、これを識別データｄ1(n)として出力する。同様に、ビタビ復号器１０７は、入力されたデジタルデータｕ(n)に対して、所定の符号点配置上、ｙ(n)に最も近いデータｄ2(n)を、再生されたデータとして識別し、これを識別データｄ2(n)として出力する。
【００２８】
判定器１１２は、セレクタ１０８で取り出された識別データｄ(n)と、波形等化されたデジタルデータｙ(n)との差を求め、差分結果を誤差信号ｅ(n)として制御回路１１３に出力する。判定器１１２は加算器により構成されている。ｄ(n)、ｙ(n)、ｅ(n)には、（１）式の関係がある。
ｅ(n)＝ｄ(n)−ｙ(n)        ・・・（１）
【００２９】
制御回路１１３は、誤差信号ｅ(n)およびデジタルデータベクトルＵ(n)を入力し、ＬＭＳアルゴリズムに従って、デジタルデータベクトルＵ(n)が入力される度毎に、逐次的に複数のタップ係数を更新して設定する。設定された複数のタップ係数はタップ係数ベクトルＨ(n)としてトランスバーサルフィルタ１１１に出力される。ここで、タップ係数ベクトルＨ(n)はＭ個の複数のタップ係数をベクトルの要素としており、（２）式で定義される。
Ｈ(n)＝［ｈ1(n)，ｈ2(n)，・・・，ｈM(n)］‘・・・（２）
ここで、「‘」はベクトルの転置を表している（以下同じ）。また、ベクトルの要素ｈi(ｎ)（ｉ＝１，・・・，Ｍ）はスカラー量とする。
【００３０】
以上のような構成の適応型等化器に１０５により、時々刻々入力されるデジタルデータｕ(n)が等化され、波形等化されたデジタルデータｙ(n)が出力されていく。
【００３１】
ここで、Ｍ個のタップを有するトランスバーサルフィルタ１１１の構成例を図３に示す。このトランスバーサルフィルタ１１１は、デジタルデータ入力端子１２１、デジタルデータベクトル出力端子１２２、タップ係数ベクトル入力端子１２３、レジスタ群１２４、乗算器群１２５、加算器１２６、デジタルデータ出力端子１２７を含んで構成される。
【００３２】
レジスタ群１２４は入力端子１２１からデジタルデータｕ(n)を入力し、１サンプル期間Ｔだけ保持してそのデータを順送りするシフトレジスタである。このレジスタ群１２４は第１のレジスタ１２４-1、第２のレジスタ１２４-2、・・・、第Ｍのレジスタ１２４-Mより構成される。また、乗算器群１２５は、第１の乗算器１２５-1、第２の乗算器１２５-2、・・・、第Ｍの乗算器１２５-Mより構成される。
【００３３】
トランスバーサルフィルタ１１１の各構成要素の動作と相互関係を説明する。デジタルデータｕ(n)は入力端子１２１を介してレジスタ１２４-1へ供給される。レジスタ群１２４内の隣り合う各レジスタは互いに接続されているので、１周期Ｔ毎にレジスタ１２４-1の出力はレジスタ１２４-2の入力として、レジスタ１２４-2の出力はレジスタ１２４-3の入力として与えられる。また、レジスタ群１２４内の各レジスタ１２４-1〜１２４-Mの出力は、乗算器群１２５の各乗算器１２５-1〜１２５-Mの入力端にそれぞれ与えられる。さらに、レジスタ群１２４内の各レジスタ１２４-1〜１２４-Mの出力は、デジタルデータベクトルＵ(n)の要素として出力端子１２２を介して出力される。
【００３４】
レジスタ群１２４の各レジスタは所定の１サンプル期間Ｔの間信号を保持した後、１サンプル期間ずつずれたデジタルデータｕ(n-1)，ｕ(n-2)，・・・，ｕ(n-)を出力する。これらのデジタルデータはデジタルデータベクトルＵ(n)のベクトル成分となる。したがって、デジタルデータベクトルＵ(n)は、（３）式のように表される。
Ｕ(n)＝［ｕ(n-1)，ｕ(n-2)，・・・，ｕ(n-M)］‘・・・（３）
【００３５】
入力端子１２３からは、Ｍ個のタップ係数ｈ1(n)，ｈ2(n)，・・・，ｈM(n)を要素とするタップ係数ベクトルＨ(n)が、乗算器群１２５のＭ個の乗算器１２５-1〜１２５-Mにそれぞれ入力される。そして各乗算器１２５-1〜１２５-Mによってデジタルデータとタップ係数の乗算が行われる。それぞれの乗算結果は加算器１２６に与えられて加算される。
【００３６】
例えば、乗算器１２５-1では、デジタルデータｕ(n-1)とタップ係数ｈ1(n)の乗算が行われる。また乗算器１２５-2では、デジタルデータｕ(n-2)とタップ係数ｈ2(n)の乗算が行われる。これらの各乗算結果は加算器１２６に出力される。加算器１２６は乗算器群１２５から入力される乗算結果の総和を演算し、波形等化されたデジタルデータｙ(n)として出力端子１２７を介して出力する。このデジタルデータｙ(n)は、（４）式で表される。
ｙ(n)＝ｈ1(n)ｕ(n-1)＋ｈ2(n)ｕ(n-2)＋・・・＋ｈM(n)ｕ(n-M)・・・（４）
【００３７】
図２に示した適応型等化器１０５において用いられるＬＭＳアルゴリズムは、等化器の出力と期待される信号波形との差の２乗平均値を評価量とし、この評価量が最小となるように逐次的にトランスバーサルフィルタのタップ係数を更新するアルゴリズムである。ＬＭＳアルゴリズムについては、例えば、羽鳥ほか：“ディジタル信号処理”、丸善、6-3-2節（1994.1）などにも記載されている。
【００３８】
一般に、ＬＭＳアルゴリズムによるＭタップのトランスバーサルフィルタの各タップ係数ｈi(n)（ｉ＝１，・・・Ｍ）の更新式は、図２に示したｅ(n)、ｕ(n)を用いると、（５）式で与えられる。
ｈi(n+1)＝ｈi(n)＋μ・ｅ(n)・ｕ*(n-i)
（但し、ｉ＝１，・・・，Ｍ）         ・・・（５）
【００３９】
ここで、ｕ*(n)はｕ(n)の複素共役を表す（以下同じ）。（５）式において、μはステップサイズパラメータと呼ばれる微小量の実数係数である。（５）式をＨ(n)、Ｕ(n)を用いてベクトル表現すれば、ＬＭＳアルゴリズムは、（６）式のようになる。
Ｈ(n+1)＝Ｈ(n)＋μ・ｅ(n)Ｕ*(n)          ・・・（６）
【００４０】
ここで、Ｕ*(n)はＵ(n)の複素共役を表す（以下同じ）。（６）式に示すように、タップ係数はデジタルデータベクトルＵ(n)の複素共役と誤差信号ｅ(n)との積に、微小係数μを乗算した修正値によって更新される。
【００４１】
続いて、タップ係数が収束する条件について述べる。デジタルデータｕ(n)の自己相関行列をＲとすると、Ｒは次の（７）式で定義される。
Ｒ＝Ｅ［Ｕ(n)・Ｕ“(n)］                  ・・・（７）
【００４２】
ここで、「“」は複素共役転置を表し、Ｅ[]は平均値を表すものとする（以下同じ）。このとき、自己相関行列Ｒの最大固有値をλとすれば、タップ係数が収束するための条件は、（８）式で表される。ステップサイズパラメータμはこの（８）式を満たす値で与える必要がある。
０＜μ＜２／λ                            ・・・（８）
【００４３】
ここで、適応型等化器のタップ係数の更新アルゴリズムの例として、ＬＭＳを用いた場合の具体的な構成例について述べる。基本的な回路構成としては図２に示したトランスバーサルフィルタ１１１をもつ適応型等化器１０５と同じでもよい。このうち、上記のＬＭＳアルゴリズムの機能を制御回路１１３内において具体的に実現してもよい。
【００４４】
ＬＭＳアルゴリズムを実現する制御回路１１３の構成例を図４に示す。この制御回路１１３は、トランスバーサルフィルタ１１１の各タップ係数を設定する複数のタップ係数設定回路を有しており、その個数はタップ係数の個数Ｍに等しい。
【００４５】
図４に示すように制御回路１１３は、誤差信号入力端子１３１、デジタルデータベクトル入力端子１３２、タップ係数設定回路１３３-1，１３３-2，・・・，１３３-M、タップ係数ベクトル出力端子１３４を含んで構成される。
【００４６】
次に制御回路１１３の各構成要素の動作と相互関係について述べる。入力端子１３１より誤差信号ｅ（ｎ）が入力され、タップ係数設定回路１３３-1，１３３-2，・・・，１３３-Mに与えられる。また、入力端子１３２よりデジタルデータベクトルＵ(n)が入力されると、Ｕ(n)の各要素であるｕ(n-1)，ｕ(n-2)，・・・，ｕ(n-M)がタップ係数設定回路１３３-1，１３３-2，・・・，１３３-Mにそれぞれ与えられる。
【００４７】
Ｍ個のタップ係数設定回路１３３-1，１３３-2，・・・，１３３-Mは、所定のアルゴリズムに基づき、それぞれタップ係数ｈ1(n)，ｈ2(n)，・・・，ｈM(n)を演算して出力する。出力されたタップ係数ｈ1(n)，ｈ2(n)，・・・，ｈM(n)は、これらを要素とするタップ係数ベクトルＨ(n)として、出力端子１３４より出力される。
【００４８】
Ｍ個のタップ係数設定回路１３３-1，１３３-2，・・・，１３３-Mは同一機能を有するが、これらのうちの第ｋ番目のタップ係数設定回路１３３-kの動作を説明する。タップ係数設定回路１３３-kは、誤差信号ｅ(n)およびデジタルデータＵ(n)の要素であるｕ(n-k)を入力し、タップ係数を所定のアルゴリズムによって計算し、その結果をタップ係数ｈk(n)として出力する。
【００４９】
ここで、ＬＭＳアルゴリズムに基づいてタップ係数を設定するタップ係数設定回路１３３-kの具体的な構成例を、図５に示す。このタップ係数設定回路１３３-kは、誤差信号入力端子１４１、デジタルデータ入力端子１４２、ステップサイズパラメータ設定器１４３、複素共役器１４４、乗算器１４５、乗算器１４６、加算器１４７、レジスタ１４８、タップ係数出力端子１４９を含んで構成される。
【００５０】
タップ係数設定回路１３３-kの各構成要素の相互関係と動作を説明する。入力端子１４１を介して誤差信号ｅ(n)が乗算器１４５に入力される。また、入力端子１４２を介してデジタルデータｕ(n-k)が複素共役器１４４に入力される。複素共役器１４４はデジタルデータｕ(n-k)の複素共役データｕ*(n-k)を演算し、乗算器１４５に与える。乗算器１４５は、複素共役器１４４からの複素共役データｕ*(n-k)と誤差信号ｅ(n)との乗算を行い、乗算結果ｕ*(n-k)・ｅ(n)を、乗算器１４６に与える。
【００５１】
一方、設定器１４３より、所定の値のステップサイズパラメータμが乗算器１４６に入力される。乗算器１４６は、乗算器１４５の出力信号ｕ*(n-k)・ｅ(n)と、ステップサイズパラメータμとの乗算を行って、乗算結果であるμ・ｕ*(n-k)・ｅ(n)を加算器１４７に出力する。加算器１４７は乗算器１４６の出力信号μ・ｕ*(n-k)・ｅ(n)と、レジスタ１４８が出力するタップ係数ｈk(n)との加算を行って、加算結果をｈk(n+1)としてレジスタ１４８に出力する。レジスタ１４８は１サンプル期間Ｔの間データを遅延し、これをタップ係数ｈk(n)として出力端子１４９を介して出力する。
【００５２】
図１に示す再生系１００の動作を説明する。
図示しない磁気テープから再生ヘッドで再生された再生信号Ｓｐは、再生アンプ１０１で増幅された後にアナログ等化器１０２に供給されて、ある程度の波形等化が行われる。アナログ等化器１０２で波形等化された再生信号はＡ／Ｄコンバータ１０３に供給されると共に、ＰＬＬ回路１０４に供給される。ＰＬＬ回路１０４では、再生信号からクロックＣＬＫが抽出される。Ａ／Ｄコンバータ１０３では、ＰＬＬ回路１０４で抽出されたクロックＣＬＫを使用して再生信号がデジタル信号に変換される。
【００５３】
Ａ／Ｄコンバータ１０３より出力されるデジタルデータｕ(n)は適応型等化器１０５を介してビタビ復号器１０６に供給される。ビタビ復号器１０６では、適応型等化器１０５で波形等化されて得られたデジタルデータｙ(n)より再生データが識別されて識別データｄ1(n)が生成される。また、Ａ／Ｄコンバータ１０３より出力されるデジタルデータｕ(n)はビタビ復号器１０７に供給される。ビタビ復号器１０７では、デジタルデータｕ(n)より再生データが識別されて識別データｄ2(n)が生成される。
【００５４】
ビタビ復号器１０６，１０７より出力される識別データｄ1(n)，ｄ2(n)はそれぞれセレクタ１０８に供給される。このセレクタ１０８には、さらに、ビタビ復号器１０６のメトリックの値Ｍ１とビタビ復号器１０７のメトリックの値Ｍ２とが供給される。セレクタ１０８では、メトリックの値Ｍ１，Ｍ２に基づいて、適応型等化器１０５の動作が発散状態にないときは、識別データｄ1(n)が出力識別データｄ(n)として取り出され、一方適応型等化器１０５の動作が発散状態にあるときは、識別データｄ2(n)が出力識別データｄ(n)として取り出される。
【００５５】
このセレクタ１０８で取り出される出力識別データｄ(n)は適応型等化器１０５に供給される。適応型等化器１０５では、上述したようにＬＭＳアルゴリズムにより、当該適応型波形等化器１０５からのデジタルデータｙ(n)の波形がセレクタ１０８からの出力識別データｄ(n)の波形（目標波形）に近づくように波形等化特性、つまりトランスバーサルフィルタのタップ係数が適応的に変更され、これにより最適な波形等化を行う得るようにされる。
【００５６】
また、セレクタ１０８で取り出される出力識別データｄ(n)は再生データとして復調器１０９に供給されて復調される。そして、この復調器１０９より出力される各シンクブロックの圧縮符号化データは誤り訂正器１１０に供給され、シンクブロック毎に付加されているパリティを使用してエラー訂正が行われる。誤り訂正器１１０でエラー訂正された圧縮符号化データＤｐは、図示しない画像伸長部に供給される。なお、誤り訂正器１１０から画像伸長部には、エラー訂正された圧縮符号化データＤｐの各シンクブロックに誤りがあるか否かを示す誤り情報ＥＩも供給される。
【００５７】
以上説明したように、第１の実施の形態においては、適応型等化器１０５の動作が発散状態にある場合、セレクタ１０８でビタビ復号器１０６からの識別データｄ1(n)に代わってビタビ復号器１０７からの識別データｄ2(n)が出力識別データｄ(n)として取り出される。この識別データｄ2(n)は適応型等化器１０５で波形等化されたデジタルデータｙ(n)より再生データを識別して得られたものではなく、適応型等化器１０５の動作が発散状態にある場合には、ビタビ復号器１０６で得られる識別データｄ1(n)に比べて誤り率の低いものとなっており、そのため、適応型等化器１０５の波形等化特性は正しい方向に向かって更新されていく。このように、第１の実施の形態においては、適応型等化器１０５の動作の発散状態を抑圧でき、当該適応型等化器１０５で最適な波形等化が行われるようにできる。
【００５８】
また、第１の実施の形態においては、セレクタ１０８で取り出された出力識別データｄ(n)が復調器１０９に供給されて復調され、さらにこの復調器１０９より出力される各シンクブロックの圧縮符号化データに対して誤り訂正器１１０で誤り訂正が行われる。この場合、適応型等化器１０５の動作が発散状態にある場合には、ビタビ復号器１０７で得られる識別データｄ2(n)に対応する圧縮符号化データが誤り訂正器１１０に供給される。この識別データｄ2(n)は適応型等化器１０５で波形等化されたデジタルデータｙ(n)より再生データを識別して得られたものではなく、適応型等化器１０５の動作が発散状態にある場合には、ビタビ復号器１０６で得られる識別データｄ1(n)に比べて誤り率の低いものとなっている。したがって、第１の実施の形態においては、適応型等化器１０５の動作が発散状態にある場合であっても誤り訂正器１１０における誤り訂正数が極端に多くなることはなく、最終的に誤り訂正できない誤り数を低減できる。
【００５９】
次に、第２の実施の形態について説明する。図６は、第２の実施の形態としてのデジタルＶＴＲの再生系１００Ａの要部構成を示している。この図６において、図１と対応する部分には同一符号を付し、その詳細説明は省略する。
【００６０】
このデジタルＶＴＲの再生系１００Ａは、ビタビ復号器１０６，１０７で得られる識別データｄ1(n)，ｄ2(n)に対して復調処理を行う復調器１０９-1，１０９-2と、これら復調器１０９-1，１０９-2より出力される各シンクブロックの圧縮符号化データに対して、シンクブロック毎に付加されているパリティを使用して誤り訂正を行って、圧縮符号化データＤp1，Ｄp2を得る誤り訂正器１１０-1，１１０-2と、誤り訂正器１１０-1で得られる圧縮符号化データＤp1または誤り訂正器１１０-2で得られる圧縮符号化データＤp2を出力圧縮符号化データＤｐとして取り出すセレクタ（訂正出力セレクタ）１１５とを有している。
【００６１】
セレクタ１０８は、誤り訂正器１１０-1，１１０-2より出力される所定期間毎、例えばシンクブロック毎の誤り訂正数Ｅ１，Ｅ２を用いて、適応型等化器１０５の動作が発散状態にないときは、識別データｄ1(n)を出力識別データｄ(n)として取り出し、一方適応型等化器１０５の動作が発散状態にあるときは、識別データｄ2(n)を出力識別データｄ(n)として取り出す。
【００６２】
すなわち、セレクタ１０８は、ばらつきを考慮した任意の数をＡとするとき、Ｅ１＜Ｅ２＋Ａを満たさなくなるときは、識別データｄ1(n)に代わって識別データｄ2(n)を出力識別データｄ(n)として取り出す。適応型等化器１０５の動作が発散状態となる場合は、誤り訂正器１１０-1における誤り訂正数Ｅ１が大きくなり、Ｅ１＜Ｅ２＋Ａを満たさなくなる。よって、セレクタ１０８では、適応型等化器１０５の動作が発散状態となる場合は、識別データｄ1(n)に代わって識別データｄ2(n)が出力識別データｄ(n)として取り出されることとなる。
【００６３】
また、セレクタ１１５は、誤り訂正器１１０-1，１１０-2より出力される誤り情報ＥＩ１，ＥＩ２を用いて、圧縮符号化データＤp1，Ｄp2のいずれを取り出すかを決める。ここで、誤り情報ＥＩ１，ＥＩ２は、それぞれ圧縮符号化データＤp1，Ｄp2の各シンクブロックに誤りがあるか否かを示す情報である。セレクタ１１５では、圧縮符号化データＤp1，Ｄp2のシンクブロックのいずれにも誤りがない場合、またはいずれにも誤りがある場合には、例えば圧縮符号化データＤp1のシンクブロックが取り出される。一方、圧縮符号化データＤp1，Ｄp2のシンクブロックのいずれかに誤りがある場合には、誤りのない方のシンクブロックが取り出される。
【００６４】
図６に示すデジタルＶＴＲの再生系１００Ａのその他の構成は図１に示すデジタルＶＴＲの再生系１００と同様とされている。
図６に示す再生系１００Ａの動作を説明する。
適応型等化器１０５、ビタビ復号器１０６，１０７、セレクタ１０８の部分の動作は、図１に示す再生系１００の動作と同様であるのその説明は省略する。ここでは、復調器１０９-1，１０９-2以降の動作について説明する。
【００６５】
ビタビ復号器１０６で得られる識別データｄ1(n)は再生データとして復調器１０９-1に供給されて復調される。そして、この復調器１０９-1より出力される各シンクブロックの圧縮符号化データは誤り訂正器１１０-1に供給され、シンクブロック毎に付加されているパリティを使用してエラー訂正が行われる。
【００６６】
同様に、ビタビ復号器１０７で得られる識別データｄ2(n)は再生データとして復調器１０９-2に供給されて復調される。そして、この復調器１０９-2より出力される各シンクブロックの圧縮符号化データは誤り訂正器１１０-2に供給され、シンクブロック毎に付加されているパリティを使用してエラー訂正が行われる。
【００６７】
誤り訂正器１１０-1，１１０-2でエラー訂正された圧縮符号化データＤp1，Ｄp2はセレクタ１１５に供給される。また、セレクタ１１５には、誤り訂正器１１０-1，１１０-2より出力される誤り情報ＥＩ１，ＥＩ２も供給される。そして、セレクタ１１５では、圧縮符号化データＤp1，Ｄp2のシンクブロックのいずれにも誤りがない場合、またはいずれにも誤りがある場合には、例えば圧縮符号化データＤp1のシンクブロックが出力圧縮符号化データＤｐとして取り出される。一方、圧縮符号化データＤp1，Ｄp2のシンクブロックのいずれかに誤りがある場合には、誤りのない方のシンクブロックが出力圧縮符号化データＤｐとして取り出される。
【００６８】
図７Ａ〜Ｆは、セレクタ１１５の動作例を示している。図７Ａは誤り訂正器１１０-1からの誤り情報ＥＩ１を示し、図７Ｂは誤り訂正器１１０-1からの圧縮符号化データＤp1を示し、図７Ｃは誤り訂正器１１０-2からの誤り情報ＥＩ２を示し、図７Ｄは誤り訂正器１１０-2からの圧縮符号化データＤp2を示し、図７Ｆはセレクタ１１５より出力される出力圧縮符号化データＤｐを示し、図７Ｅは圧縮符号化データＤｐの各シンクブロックに誤りがあるか否かを示す誤り情報ＥＩを示している。圧縮符号化データＤp1，Ｄp2，Ｄｐで、誤りがあるシンクブロックはハッチングして示している。
【００６９】
このようにセレクタ１１５で取り出される出力符号化データＤｐは、図示しない画像伸長部に供給される。なお、セレクタ１１５から画像伸長部には、出力圧縮符号化データＤｐの各シンクブロックに誤りがあるか否かを示す誤り情報ＥＩも供給される。
【００７０】
以上説明したように、第２の実施の形態においても、適応型等化器１０５の動作が発散状態にある場合、セレクタ１０８でビタビ復号器１０６からの識別データｄ1(n)に代わってビタビ復号器１０７からの識別データｄ2(n)が出力識別データｄ(n)として取り出される。したがって、この第２の実施の形態においては、第１の実施の形態と同様に、適応型等化器１０５の動作の発散状態を抑圧でき、当該適応型等化器１０５で最適な波形等化が行われるようにできる。
【００７１】
また、セレクタ１１５は、誤り訂正器１１０-1，１１０-2からの誤り訂正情報に基づき、圧縮符号化データＤp1，Ｄp2のシンクブロックのいずれにも誤りがない場合、またはいずれにも誤りがある場合には、例えば圧縮符号化データＤp1のシンクブロックを出力圧縮符号化データＤｐとして取り出し、圧縮符号化データＤp1，Ｄp2のシンクブロックのいずれかに誤りがある場合には、誤りのない方のシンクブロックを出力圧縮符号化データＤｐとして取り出すものであり、最終的なシンクブロックの誤り数（誤り率）を低減できる。
【００７２】
なお、図６に示すデジタルＶＴＲの再生系１００Ａでは、セレクタ１０８は、誤り訂正器１１０-1，１１０-2より出力される所定期間毎、例えばシンクブロック毎の誤り訂正数Ｅ１，Ｅ２に基づいて適応型等化器１０５の動作が発散状態にあるか否かを判断して、識別データｄ1(n)または識別データｄ2(n)を取り出すものであったが、図１に示すデジタルＶＴＲの再生系１００と同様にして、セレクタ１０８は、ビタビ復号器１０６，１０７より出力されるメトリックの値Ｍ１，Ｍ２に基づいて適応型等化器１０５の動作が発散状態にあるか否かを判断して、識別データｄ1(n)または識別データｄ2(n)を取り出すようにしてもよい。
【００７３】
また、図６に示すデジタルＶＴＲの再生系１００Ａにおけるビタビ復号器１０６，１０７を異なる方式のパーシャルレスポンス方式を組み合わせたものとして、最終的なシンクブロックの誤り数（誤り率）を低減する効果を高めることが考えられる。例えば、ビタビ復号器１０６はＰＲ（１，−１）を組み合わせたものとし、ビタビ復号器１０７はＰＲ（１，１）を組み合わせたものとする。
【００７４】
その場合、ビタビ復号器１０６は、ＰＲ（１，−１）の伝達特性により低域の信号成分が少なく、高域の信号成分が多い。逆に、ビタビ復号器１０７は、ＰＲ（１，１）の伝達特性により高域の信号成分が少なく、低域の信号成分が多い。このように伝達特性の異なったビタビ復号器１０６，１０７は、それぞれ異なった帯域での誤り率が高いことが期待され、互いに補完し得る状態となる。したがって、セレクタ１１５より出力される圧縮符号化データＤｐにおけるシンクブロックの誤り数（誤り率）を一層低減することができる。
【００７５】
また、図６に示すデジタルＶＴＲの再生系１００Ａでは、識別器として２個のビタビ復号器１０６，１０７を設けたものであるが、識別方式を異にするさらに多くの識別器を並列的に設け、それらの識別データを復調する複数の復調器と、さらにこれらの復調器の出力データに対して誤り訂正をする複数の誤り訂正器を設け、セレクタ１１５でそれら複数の誤り訂正器の出力データのうち誤りのないシンクブロックを出力圧縮符号化データＤｐとして取り出す構成とすることで、最終的なシンクブロックの誤り数（誤り率）を低減する効果をさらに高めることができる。
【００７６】
次に、第３の実施の形態について説明する。図８は、第３の実施の形態としてのデジタルＶＴＲの再生系１００Ｂの要部構成を示している。この図８において、図６と対応する部分には同一符号を付し、その詳細説明は省略する。
【００７７】
このデジタルＶＴＲの再生系１００Ｂは、復調器１０９-1，１０９-2より出力される各シンクブロックの圧縮符号化データに対して、シンクブロック毎に付加されているパリティを使用して誤り訂正を行って、圧縮符号化データＤp1，Ｄp2を得る誤り訂正器１１０Ｂを有している。
【００７８】
この誤り訂正器１１０Ｂは、復調器１０９-1，１０９-2からの圧縮符号化データに対して、時分割的に、かつ図６に示す誤り訂正器１１０-1，１１０-2の２倍の動作速度で誤り訂正をする。セレクタ１０８には、誤り訂正器１１０から、復調器１０９-1，１０９-2の出力に対する所定期間毎、例えばシンクブロック毎の誤り訂正数Ｅ１，Ｅ２が供給される。
【００７９】
また、再生系１００Ｂは、誤り訂正器１１０Ｂで得られる復調器１０９-1の出力に対応した圧縮符号化データＤp1を一時的に記憶し、圧縮符号化データＤp2との時間軸を合わせるためのメモリ１１６と、このメモリ１１６に記憶されている圧縮符号化データＤp1または誤り訂正器１１０Ｂで得られる復調器１０９-2の出力に対応した圧縮符号化データＤp2を出力符号化データＤｐとして取り出すセレクタ１１５Ｂとを有している。
【００８０】
セレクタ１１５Ｂには、誤り訂正器１１０から、圧縮符号化データＤp1，Ｄp2の各シンクブロックに誤りがあるか否かを示す誤り情報ＥＩ１，ＥＩ２が供給される。セレクタ１１５Ｂでは、図６に示すセレクタ１１５と同様に、誤り情報ＥＩ１，ＥＩ２を用いて、圧縮符号化データＤp1，Ｄp2のいずれを取り出すかを決める。
【００８１】
図８に示すデジタルＶＴＲの再生系１００Ｂのその他の構成は図６に示すデジタルＶＴＲの再生系１００Ａと同様とされている。
図８に示す再生系１００Ｂの動作を説明する。
セレクタ１０８には、図６に示す再生系１００Ａと同様に復調器１０９-1，１０９-2の出力に対する所定期間毎、例えばシンクブロック毎の誤り訂正数Ｅ１，Ｅ２が供給されるものであって、適応型等化器１０５、ビタビ復号器１０６，１０７、セレクタ１０８の部分の動作は、図６に示す再生系１００Ａの動作と同様であるのその説明は省略する。ここでは、復調器１０９-1，１０９-2以降の動作について説明する。
【００８２】
ビタビ復号器１０６で得られる識別データｄ1(n)は再生データとして復調器１０９-1に供給されて復調される。そして、この復調器１０９-1より出力される各シンクブロックの圧縮符号化データは誤り訂正器１１０Ｂに供給される。また、ビタビ復号器１０７で得られる識別データｄ2(n)は再生データとして復調器１０９-2に供給されて復調される。そして、この復調器１０９-2より出力される各シンクブロックの圧縮符号化データは誤り訂正器１１０Ｂに供給される。
【００８３】
誤り訂正器１１０Ｂでは、復調器１０９-1，１０９-2からの圧縮符号化データに対して、時分割的に、誤り訂正が行われる。そして、誤り訂正器１１０Ｂで得られる復調器１０９-2の出力に対応した圧縮符号化データＤp2はセレクタ１１５Ｂに供給されると共に、この誤り訂正器１１０Ｂで得られる復調器１０９-1の出力に対応した圧縮符号化データＤp1は、メモリ１１６により圧縮符号化データＤp2との時間軸が合わせられてセレクタ１１５Ｂに供給される。
【００８４】
また、セレクタ１１５Ｂには、誤り訂正器１１０Ｂより出力される誤り情報ＥＩ１，ＥＩ２も供給される。そして、セレクタ１１５Ｂでは、圧縮符号化データＤp1，Ｄp2のシンクブロックのいずれにも誤りがない場合、またはいずれにも誤りがある場合には、例えば圧縮符号化データＤp1のシンクブロックが出力圧縮符号化データＤｐとして取り出される。一方、圧縮符号化データＤp1，Ｄp2のシンクブロックのいずれかに誤りがある場合には、誤りのない方のシンクブロックが出力圧縮符号化データＤｐとして取り出される。
【００８５】
このようにセレクタ１１５Ｂで取り出される出力符号化データＤｐは、図示しない画像伸長部に供給される。なお、セレクタ１１５Ｂから画像伸長部には、出力圧縮符号化データＤｐの各シンクブロックに誤りがあるか否かを示す誤り情報ＥＩも供給される。
【００８６】
以上説明したように、第３の実施の形態においても、適応型等化器１０５の動作が発散状態にある場合、セレクタ１０８でビタビ復号器１０６からの識別データｄ1(n)に代わってビタビ復号器１０７からの識別データｄ2(n)が出力識別データｄ(n)として取り出される。したがって、この第３の実施の形態においては、第１、第２の実施の形態と同様に、適応型等化器１０５の動作の発散状態を抑圧でき、当該適応型等化器１０５で最適な波形等化が行われるようにできる。
【００８７】
また、第３の実施の形態においては、セレクタ１１５Ｂは、誤り訂正器１１０Ｂからの誤り訂正情報ＥＩ１，ＥＩ２に基づき、圧縮符号化データＤp1，Ｄp2のシンクブロックのいずれにも誤りがない場合、またはいずれにも誤りがある場合には、例えば圧縮符号化データＤp1のシンクブロックを出力圧縮符号化データＤｐとして取り出し、圧縮符号化データＤp1，Ｄp2のシンクブロックのいずれかに誤りがある場合には、誤りのない方のシンクブロックを出力圧縮符号化データＤｐとして取り出すものであり、第２の実施の形態と同様に、最終的なシンクブロックの誤り数（誤り率）を低減できる。
【００８８】
また、第３の実施の形態においては、復調器１０９-1，１０９-2からの圧縮符号化データに対して、１個の誤り訂正器１１０Ｂで時分割的に誤り訂正を行うものであり、第２の実施の形態に比べて、回路規模を小さくできる。
【００８９】
なお、上述実施の形態においては、適応型等化器１０５はＬＭＳアルゴリズムを使用したものを示したが、その他のアルゴリズム、例えばＺＦ（Zero-Forcing）アルゴリズム等を使用するものであってもよい。
【００９０】
また、上述実施の形態においては、識別器としてビタビ復号器１０６，１０７を使用したものを示したが、その他の識別器を用いて構成するものにもこの発明を同様に適用できることは勿論である。
【００９１】
また、上述実施の形態においては、この発明に係る伝送信号処理装置をデジタルＶＴＲの再生系に適用したものであるが、これに限定されるものではなく、この発明に係る伝送信号処理装置をその他のデジタル再生装置、さらには通信装置の受信系などその他の伝送系にも同様に適用することができる。
【００９２】
【発明の効果】
この発明によれば、等化器を通した伝送信号から第１の識別データを得る第１の識別器と、この等化器を通さない伝送信号から第２の識別データを得る第２の識別器と、第１の識別データまたは第２の識別データを出力識別データとして取り出すセレクタとを備え、セレクタでは等化器の動作が発散状態にあるとき第１の識別データに代わって第２の識別データを出力識別データとして取り出し、等化器を通した伝送信号の波形がセレクタより取り出される出力識別データの波形に近づくように等化器の波形等化特性を更新する構成とするものであり、適応型等化器の動作の発散状態を抑圧し、等化器で最適な波形等化が行われるようにすることができる。
【００９３】
また、この発明によれば、出力識別データを得るセレクタの後段に、所定単位毎にデータの誤りを検出して訂正する誤り訂正器を備える構成とすることで、等化器の動作が発散状態にある場合には、第２の識別器で得られる第２の識別データに対応する信号が誤り訂正器に供給されて誤り訂正されるため、等化器の動作が発散状態にある場合であっても誤り訂正器における誤り訂正数が極端に多くなることはなく、最終的な所定単位のデータの誤り数（誤り率）を低減することができる。
【００９４】
また、この発明によれば、第１、第２の識別器の後段にそれぞれ所定単位毎にデータの誤りを訂正して第１、第２の出力データを得る第１、第２の誤り訂正器を配置し、第１の誤り訂正器および第２の誤り訂正器で得られる所定単位毎の出力データの誤り情報に基づき、第１の出力データおよび第２の出力データの双方が誤っていないときはいずれか一方を取り出し、第１の出力データまたは第２の出力データのいずれか一方が誤っているときは誤っていない方をセレクタによって取り出すことで、最終的な所定単位のデータの誤り数（誤り率）を低減することができる。
【００９５】
この場合、第１、第２の識別器を異なるパーシャルレスポンス方式を組み合わせたビタビ復号器とすることで、第１，第２の識別データにおける誤り位置のずれを期待でき、これにより最終的な所定単位のデータの誤り数（誤り率）をさらに低減可能となる。またこの場合、第１の識別器の出力データに対応する第１のデータおよび第２の識別器の出力データに対応する第２のデータの誤りを、１個の誤り訂正器で、時分割的に検出して訂正する構成とすることで、回路規模を小さくできる。
【００９６】
また、この発明によれば、第１，第２の識別器としての複数の識別器を設け、これらの後段にそれぞれ所定単位毎にデータの誤りを検出して訂正する複数の誤り訂正器を配置し、複数の誤り訂正器で得られる所定単位毎の出力データの誤り情報に基づき、複数の誤り訂正器の出力データのうち一部が誤っているときは、誤っていない出力データのいずれかをセレクタで取り出すことで、最終的な所定単位のデータの誤り数（誤り率）を低減することができる。
【図面の簡単な説明】
【図１】第１の実施の形態としてのデジタルＶＴＲの再生系の要部構成を示すブロック図である。
【図２】適応型等化器の構成例を示すブロック図である。
【図３】適応型等化器内のトランスバーサルフィルタの構成例を示すブロック図である。
【図４】ＬＭＳアルゴリズムを実現する適応型等化器内の制御回路の構成例を示すブロック図である。
【図５】制御回路内のタップ係数設定回路の構成例を示すブロック図である。
【図６】第２の実施の形態としてのデジタルＶＴＲの再生系の要部構成を示すブロック図である。
【図７】セレクタの動作例を示すタイミングチャートである。
【図８】第３の実施の形態としてのデジタルＶＴＲの再生系の要部構成を示すブロック図である。
【図９】デジタルＶＴＲの基本的構成を示すブロック図である。
【図１０】デジタルＶＴＲの再生系の要部構成を示すブロック図である。
【符号の説明】
１００，１００Ａ，１００Ｂ・・・デジタルＶＴＲの再生系、１０５・・・適応型等化器、１０６，１０７・・・ビタビ復号器、１０８，１１５，１１５Ｂ・・・セレクタ、１０９，１０９-1，１０９-2・・・復調器、１１０，１１０-1，１１０-2，１１０Ｂ・・・誤り訂正器、１１１・・・トランスバーサルフィルタ、１１２・・・判定器、１１３・・・制御回路、１１６・・・メモリ
【図１】
0004626109.tif 000002
【図２】
0004626109.tif 000003
【図３】
0004626109.tif 000004
【図４】
0004626109.tif 000005
【図５】
0004626109.tif 000006
【図６】
0004626109.tif 000007
【図７】
0004626109.tif 000008
【図８】
0004626109.tif 000009
【図９】
0004626109.tif 000010
【図１０】
0004626109.tif 000011